(57)【要約】【課題】簡易な手段により、火災発生時に框体に座屈変形が生じても框体と枠体の間の気密性を確保し、隙間を生じないようにすることのできるサッシを提供する。【解決手段】枠体１内に障子２を納めてなり、枠体１は上下枠と左右の縦枠とを方形状に枠組みしてなり、障子２は上下框と左右の縦框とを方形状に框組みした框体３にパネル体４を納めてなり、枠体１を構成する上下枠と左右の縦枠は、障子２が閉じた状態で框体３に対し当接する気密材１４をそれぞれ保持し、上下枠と左右の縦枠に設けられる気密材１４のうち少なくとも１つは、框体３に当接する本体当接部１４ａと、本体当接部１４ａから枠体１の内周面側及び框体３側に向かって伸びる傾斜面１４ｃを備えた気密部１４ｂとを有する。【選択図】図３
2014009575.tif 000002
【特許請求の範囲】
【請求項１】
上下枠と左右の縦枠とを方形状に枠組みした枠体と、該枠体内に納められる本体とを備えた開口部装置において、
前記上下枠と左右の縦枠の少なくとも一部には気密部が設けられ、該気密部は、前記枠体の内周面側に向かう第１方向と前記本体側に向かう第２方向の両方に伸びる傾斜面を備えることを特徴とする開口部装置。
【請求項２】
前記傾斜面が前記本体から離して配置されることを特徴とする請求項１記載の開口部装置。
【請求項３】
前記傾斜面の少なくとも一部が前記本体に対し接触するように配置されることを特徴とする請求項１記載の開口部装置。
【請求項４】
前記傾斜面がヒレ状部材の一面に形成されることを特徴とする請求項１〜３のいずれか１項に記載の開口部装置。
【請求項５】
前記気密部は加熱されることにより固化する材料を含むことを特徴とする請求項１〜４のいずれか１項に記載の開口部装置。
【請求項６】
前記上下枠と左右の縦枠は、前記本体に対し当接する気密材をそれぞれ保持し、該気密材のうち少なくとも１つは、前記本体に対し当接する本体当接部と、該本体当接部から伸びる前記気密部とを有することを特徴とする請求項１〜５のいずれか１項に記載の開口部装置。
【請求項７】
前記本体は上下框と左右の縦框とを方形状に框組みした框体にパネル体を納めてなり、
前記上框と下框は、外周縁側が前記気密材側に向かって突出する当接面部を形成する段部を有し、該段部は前記気密材の内周側端面と略面一または前記枠体の室内側内周縁と略面一とされることを特徴とする請求項６記載の開口部装置。
【請求項８】
前記本体は上下框と左右の縦框とを方形状に框組みした框体にパネル体を納めてなり、
前記框体は前記枠体に拘束される拘束部を有し、前記気密部は少なくとも前記拘束部間の領域または前記拘束部より前記框体の角部側の領域に設けられることを特徴とする請求項１〜７のいずれか１項に記載の開口部装置。
【請求項９】
前記上枠または下枠の室内側には、前記本体の上端または下端に対向する室内起立面部が形成され、該室内起立面部に前記気密材の基端が配置されることを特徴とする請求項６記載の開口部装置。
【請求項１０】
前記本体は上下框と左右の縦框とを方形状に框組みした框体にパネル体を納めてなり、
前記下枠は前記本体を案内するレール部を有し、前記下框は室内側が垂下されて前記レール部と対向する室内垂下部を有し、前記傾斜面の前記第２方向に伸びる突出幅は、前記室内垂下部と前記レール部との隙間より大きいことを特徴とする請求項１〜９のいずれか１項に記載の開口部装置。
【発明の詳細な説明】
【技術分野】
【０００１】
本発明は、建物開口部に設けられる枠体内に本体に納めた開口部装置に関し、特に火災発生時に高温に晒されても枠体と本体の間に隙間を発生させないようにしたサッシに関する。
【背景技術】
【０００２】
建物開口部に設けられる開口部装置の多くは、枠体内に本体である障子を開閉自在に納めて構成される。かかる開口部装置としては、例えば内外障子を引き違い状に開閉自在とした引き違い窓サッシや、障子のいずれかの端縁を吊り元側とし、この吊り元側の端縁と対向する端縁を戸先側として、障子が枠体に対して回動自在となるように支持されてなる辷り出し窓サッシなどがある。
【０００３】
このような開口部装置においては、火災が発生した場合にも、一定時間以上、閉塞状態を維持する防火性能が求められる。防火性能を十分に確保するためには、開口部装置が高温に晒されたとしても、開口部装置を構成する枠体と本体の間に隙間を生じさせないようにすることが必要である。
【０００４】
枠体内に納められる本体となる障子は、上框と下框及び縦框を方形状に框組みしてなる框体内にガラス板等のパネル体を納めて構成される。開口部装置の種類により、框体を構成する框材は所定位置、例えば障子を支持するアームの固定位置や、障子を開閉自在とする蝶番の位置、あるいは障子の施錠位置などにおいて、枠体に拘束されている。
【０００５】
火災発生時に開口部装置が高温に晒された場合、框体を構成する框材にはそれぞれ熱伸びが発生する。このとき、框材が枠体に拘束されている位置はそのまま維持されるから、框材のうち拘束部間の部分には、反りが発生する。また、框材は両端部がそれぞれ枠体の内周面側に伸びていき、やがて当該内周面に突き当たる。加熱がさらに継続すると、框材はそれ以上伸びることができないため、座屈変形により反りを生じる。このように、框材に反りが生じると、框材に当接していた枠体の気密材が離れ、隙間を生じて炎が貫通すると共に、開口部装置の内外で空気が通過できるようになって、延焼の原因となるおそれがある。
【０００６】
縦框が座屈変形して框体と枠体の間に隙間が発生することを防止するため、従来は框体と枠体内周面の間の寸法を大きくし、框材が熱伸びしても上枠や下枠の内周面に上下端が達しないようにしたり、框材に反りを抑制する機構を設けたり、あるいは火災発生時の熱で膨張する加熱発泡材を框体や枠体に適宜設けて隙間を埋めるなどしていた。このような開口部装置としては、例えば特許文献１に挙げるようなものがある。
【先行技術文献】
【特許文献】
【０００７】
【特許文献１】特開平９−２４２４３８号公報
【発明の概要】
【発明が解決しようとする課題】
【０００８】
しかし、框体と枠体内周面の間の寸法を大きくしても、実際の火災時には框材が大きく熱伸びし、端部がそれぞれ枠体の内周面に突き当たる。また、框体と枠体内周面の間の寸法を大きくすると、枠体内に無駄なスペースを生じることとなり、開口部装置が大型化してしまうという問題も生じる。また、反りの抑制機構や加熱発泡材により、框体と枠体の間に隙間を生じないようにした場合、コストの増大を招くという問題があった。
【０００９】
本発明は前記課題を鑑みてなされたものであり、簡易な手段により、火災発生時に框体に座屈変形が生じても框体と枠体の間の気密性を確保し、隙間を生じないようにすることのできる開口部装置を提供することを目的とする。
【課題を解決するための手段】
【００１０】
前記課題を解決するため、請求項１の発明に係る開口部装置は、上下枠と左右の縦枠とを方形状に枠組みした枠体と、該枠体内に納められる本体とを備えた開口部装置において、
前記上下枠と左右の縦枠の少なくとも一部には気密部が設けられ、該気密部は、前記枠体の内周面側に向かう第１方向と前記本体側に向かう第２方向の両方に伸びる傾斜面を備えることを特徴として構成されている。
【００１１】
請求項１に係る発明によれば、枠体に設けられる気密部が、枠体の内周面側及び本体側に向かって伸びる傾斜面を有しているので、火災発生時に開口部装置が高温に晒され、本体を構成する框材が枠体の内周面側及び気密部から離れる方向に向かって移動及び変形した場合に、気密部の傾斜面が本体に対して当接し、気密部の本体に対する当接状態を確保することができる。
【００１２】
また、請求項２の発明に係る開口部装置は、前記傾斜面が前記本体から離して配置されることを特徴として構成されている。
【００１３】
請求項２に係る発明によれば、傾斜面が通常時においては本体に接触しないので、通常時に本体を開閉させる際に、気密部が抵抗とならず、円滑な開閉を可能とすることができる。
【００１４】
さらに、請求項３の発明に係る開口部装置は、前記傾斜面の少なくとも一部が前記本体に対し接触するように配置されることを特徴として構成されている。
【００１５】
請求項３に係る発明によれば、火災発生時に框材が室外側にのみ変形する場合であっても、傾斜面を確実に本体に対し当接させることができる。
【００１６】
さらにまた、請求項４の発明に係る開口部装置は、前記傾斜面がヒレ状部材の一面に形成されることを特徴として構成されている。
【００１７】
請求項４に係る発明によれば、気密部を簡易に構成することができる。
【００１８】
そして、請求項５の発明に係る開口部装置は、前記気密部は加熱されることにより固化する材料を含むことを特徴として構成されている。
【００１９】
請求項５に係る発明によれば、気密部は火災発生時においても溶融することなく形状を維持し、本体に対して当接することができる。
【００２０】
また、請求項６の発明に係る開口部装置は、前記上下枠と左右の縦枠は、前記本体に対し当接する気密材をそれぞれ保持し、該気密材のうち少なくとも１つは、前記本体に対し当接する本体当接部と、該本体当接部から伸びる前記気密部とを有することを特徴として構成されている。
【００２１】
請求項６に係る発明によれば、通常時には気密材の本体当接部により枠体と本体の間の気密性を確保し、火災発生時には気密部によって気密性を確保することができる。
【００２２】
さらに、請求項７の発明に係る開口部装置は、前記本体は上下框と左右の縦框とを方形状に框組みした框体にパネル体を納めてなり、
前記上框と下框は、外周縁側が前記気密材側に向かって突出する当接面部を形成する段部を有し、該段部は前記気密材の内周側端面と略面一または前記枠体の室内側内周縁と略面一とされることを特徴として構成されている。
【００２３】
請求項７に係る発明によれば、段部を室内側から見えにくいようにすることができ、框体の室内側面を面一状に見せることができるので、意匠性を向上させることができる。
【００２４】
さらにまた、請求項８の発明に係る開口部装置は、前記本体は上下框と左右の縦框とを方形状に框組みした框体にパネル体を納めてなり、
前記框体は前記枠体に拘束される拘束部を有し、前記気密部は少なくとも前記拘束部間の領域または前記拘束部より前記框体の角部側の領域に設けられることを特徴として構成されている。
【００２５】
請求項８に係る発明によれば、火災発生時において変形量が大きい拘束部から離れた領域に気密部が設けられるので、確実に枠体と框体の間の隙間を防止することができる。
【００２６】
そして、請求項９の発明に係る開口部装置は、前記上枠または下枠の室内側には、前記本体の上端または下端に対向する室内起立面部が形成され、該室内起立面部に前記気密材の基端が配置されることを特徴として構成されている。
【００２７】
請求項９に係る発明によれば、枠体の室内起立面部と本体の室内外面のいずれかとを対向させ、そこに気密材が介在するので、両者の間の気密性を通常時、火災時とも確実に確保することができる。
【００２８】
そして、請求項１０の発明に係る開口部装置は、前記本体は上下框と左右の縦框とを方形状に框組みした框体にパネル体を納めてなり、
前記下枠は前記本体を案内するレール部を有し、前記下框は室内側が垂下されて前記レール部と対向する室内垂下部を有し、前記傾斜面の前記第２方向に伸びる突出幅は、前記室内垂下部と前記レール部との隙間より大きいことを特徴として構成されている。
【００２９】
請求項１０に係る発明によれば、障子が下枠のレール部により案内されて開閉するサッシにおいて、想定される框材の室外側への最大変形量よりも傾斜面の突出幅が大きいので、火災発生時に気密部を確実に框体に対し当接させることができる。
【発明の効果】
【００３０】
本発明に係る開口部装置によれば、火災発生時に開口部装置が高温に晒されても、気密部の傾斜面が本体に対して当接し、枠体と本体の間に隙間が生じることを防止することができる。
【図面の簡単な説明】
【００３１】
【図１】第１の実施形態におけるサッシの正面図である。
【図２】第１の実施形態のサッシの縦断面図である。
【図３】第１の実施形態のサッシの横断面図である。
【図４】火災発生時の状態におけるサッシの縦断面図である。
【図５】火災発生時の状態におけるサッシの横断面図である。
【図６】框体の当接部を長くした場合のサッシの下枠付近拡大縦断面図である。
【図７】框体の当接部を長くした場合のサッシの縦枠付近拡大横断面図である。
【図８】框体の当接部を長くした場合のサッシの火災発生時の状態における下枠付近拡大縦断面図である。
【図９】框体の当接部を長くした場合のサッシの火災発生時の状態における縦枠付近拡大横断面図である。
【図１０】第２の実施形態におけるサッシの正面図である。
【図１１】第２の実施形態のサッシの縦断面図である。
【図１２】第２の実施形態のサッシの横断面図である。
【図１３】火災発生時の状態におけるサッシの縦断面図である。
【図１４】火災発生時の状態におけるサッシの横断面図である。
【図１５】框体の当接部を長くした場合のサッシの下枠付近拡大縦断面図である。
【図１６】框体の当接部を長くした場合のサッシの縦枠付近拡大横断面図である。
【図１７】第３の実施形態におけるサッシの正面図である。
【図１８】第３の実施形態のサッシの縦断面図である。
【図１９】第３の実施形態のサッシの横断面図である。
【図２０】火災発生時の状態における縦断面図である。
【図２１】火災発生時の状態における横断面図である。
【発明を実施するための形態】
【００３２】
本発明の実施形態について図面に沿って詳細に説明する。図１には、本実施形態における開口部装置であるサッシの正面図を示している。この図に示すように、本実施形態のサッシは、上枠１０と下枠１１及び左右の縦枠１２，１２を方形状に枠組みしてなる枠体１内に、上框２０と下框２１及び左右の縦框２２，２２を方形状に框組みしてなる框体３内に、例えばガラス板からなるパネル体４を納めてなる本体となる障子２を開閉自在に納めて構成されている。框体３は、上框２０と下框２１の両端部がそれぞれ縦框２２の内周面に突き当てられ、ネジ止め固定されることで框組みされている。
【００３３】
本実施形態のサッシは、図１中左側の縦辺を吊り元側、右側の縦辺を戸先側として、障子２の吊り元側の端縁に沿った回動軸を中心として、障子２が開閉自在となるように枠体１に支持された縦辷り出し窓サッシである。障子２の戸先側の縦框２２には、ハンドル５が設けられており、このハンドル５を持って障子２を開閉させることができると共に、障子２が閉じた状態でハンドル５を回動操作することにより、障子２を枠体１に対してロック、あるいはロック解除することができる。また、サッシの上辺と下辺には、枠体１と障子２とを連結するアーム部品６が設けられている。
【００３４】
障子２を構成する框体３は、障子２を閉じた状態において複数位置で枠体１に拘束されている。戸先側の縦框２２には、ハンドル５の回動に伴って戸先側の縦枠１２側に向かって出没自在なロック部５ａが、長手方向３箇所に設けられており、戸先側の縦枠１２には、ロック部５ａを係止自在なロック固定部１３ａが、各ロック部５ａに対応して設けられている。ロック部５ａ及びロック固定部１３ａは金属製であり、戸先側の縦框２２は、長手方向３箇所に拘束部２２ｃを有している。また、上框２０と下框２１は、それぞれアーム部品６によって上枠１０と下枠１１に拘束されていて、それぞれ拘束部２０ｃ、２１ｃを有している。
【００３５】
図２にはサッシの縦断面図を、図３にはサッシの横断面図を、それぞれ示している。枠体１を構成する上枠１０は、上框２０と対向する内周面部１０ａを備え、内周面部１０ａの吊り元側端部には、アーム部品６の一端が固定されている。また、内周面部１０ａの室内側寄りには、内周側に向かって突出する室内起立面部１０ｂが形成されている。室内起立面部１０ｂの下端部は上框２０の室内側面と対向しており、この位置に気密材１４が設けられて上框２０に対して当接する。
【００３６】
枠体１を構成する下枠１１は、下框２１と対向する内周面部１１ａを備え、内周面部１１ａの吊り元側端部には、アーム部品６の一端が固定されている。また、内周面部１１ａの室内端部には、室内起立面部１１ｂが形成されており、その上端部は下框２１の室内側面と対向しており、この位置に気密材１４が設けられて下框２１に対して当接する。
【００３７】
枠体１を構成する縦枠１２は、縦框２２と対向する内周面部１２ａを備え、内周面部１２ａの室内側寄りには、内周側に向かって突出する室内起立面部１２ｂが形成されている。室内起立面部１２ｂの先端部は、縦框２２の室内側面と対向しており、この位置に気密材１４が設けられて縦框２２に対して当接する。
【００３８】
框体３を構成する上框２０は、内周側にパネル体４の上辺を保持するパネル体収納部２０ａを備え、外周側には上枠１０の内周面と対向する外周面部２０ｂを備えている。外周面部２０ｂには、アーム部品６の一端が固定されている。
【００３９】
上框２０の室内側面には、段部２０ｄが形成され、段部２０ｄより外周縁側が上枠１０の気密材１４側に向かって突出した当接面部２０ｅとなっている。この当接面部２０ｅに対し、上枠１０の気密材１４が当接する。
【００４０】
上框２０に設けられる気密材１４は、障子２が閉じた状態で上框２０の当接面部２０ｅに対して当接する本体当接部１４ａと、本体当接部１４ａの上端部から突出し上框２０には接触しない気密部１４ｂとが、一体的に形成されている。気密部１４ｂは、本体当接部１４ａから上枠１０の内周面部１０ａ側及び上框２０側に向かって伸びる傾斜面１４ｃを有するヒレ状に形成されている。以下、サッシの見付方向であって枠体１の中央側から内周面部側に向かう方向を第１方向と、サッシの見込方向であって障子２の室内外面に向かう方向を第２方向と、それぞれ規定する。これによれば、気密部１４ｂは、本体当接部１４ａから第１方向と第２方向の両方に伸びていることになる。また、気密部１４ｂの形状においてヒレ状とは、板状とも同義であり、ゴムや薄い金属板など弾性を有するものであることが好ましい。
【００４１】
上框２０は、両端部がそれぞれ縦框２２に飲み込まれて連結されるため、縦框２２よりも框材の肉厚分、幅狭に形成されている。一方で、気密材１４が当接する当接面部２０ｅは、気密性確保のため、縦框２２の室内側面と面一状である必要があり、このため段部２０ｄが形成されている。上框２０の段部２０ｄは、気密材１４の内周側端面と略面一となる位置に形成されているので、上框２０の室内面における段差を室内側から見えにくいようにすることができ、意匠性を向上させることができる。
【００４２】
框体３を構成する下框２１は、内周側にパネル体４の上辺を保持するパネル体収納部２１ａを備え、外周側には下枠１１の内周面と対向する外周面部２１ｂを備えている。外周面部２１ｂには、アーム部品６の一端が固定されている。
【００４３】
下框２１の室内側面にも、上框２０と同様に段部２１ｄが形成され、段部２１ｄより外周縁側が下枠１１の気密材１４側に向かって突出した当接面部２１ｅとなっている。下框２１に段部２１ｄが形成されている理由は、上框２０と同様である。この当接面部２１ｅに対し、下枠１１の気密材１４が当接する。
【００４４】
下框２１に設けられる気密材１４は、障子２が閉じた状態で下框２１の当接面部２１ｅに対して当接する本体当接部１４ａと、本体当接部１４ａの下端部から突出し下框２１には接触しない気密部１４ｂとが、一体的に形成されている。気密部１４ｂは、本体当接部１４ａから下枠１１の内周面部１１ａ側及び下框２１側、すなわち第１方向と第２方向に向かって伸びる傾斜面１４ｃを有するヒレ状に形成されている。
【００４５】
框体３を構成する縦框２２は、内周側にパネル体４の縦辺を保持するパネル体収納部２２ａを備え、外周側には縦枠１２の内周面と対向する外周面部２２ｂを備えている。戸先側の縦框２２には、前述のようにハンドル５が設けられており、ロック部５ａと連係している。
【００４６】
縦框２２に設けられる気密材１４は、障子２が閉じた状態で縦框２２の室内側面に当接する本体当接部１４ａと、本体当接部１４ａの外周端部から突出し縦框２２には接触しない気密部１４ｂとが、一体的に形成されている。気密材１４の気密部１４ｂは、本体当接部１４ａから縦枠１２の内周面部１２ａ側及び縦框２２側、すなわち第１方向と第２方向に向かって伸びる傾斜面１４ｃを有するヒレ状に形成されている。
【００４７】
ロック部５ａは、ハンドル５に隣接する位置に設けられているものは、鎌形状を有していて戸先側の縦枠１３のロック固定部１３ａに対して係脱自在となっている。また、ロック部５ａのうちハンドル５から上下に離れた位置に設けられているものは、ピン形状を有していて、ロック固定部１３ａに対して係脱自在となっている。各ロック部５ａは、戸先側の縦枠１３のロック固定部１３ａと対向する位置に配置されており、ハンドル５を操作してロック部５ａが戸先側の縦框２２から突出することにより、各ロック部５ａがそれぞれロック固定部１３ａに対して係止され、障子２を閉じた際にこれをロックすると共に、枠体１側に引き寄せて気密性を確保するようにしている。
【００４８】
火災が発生してサッシが高温に晒されると、框体３を構成している各框材はアルミニウムからなるため、熱伸びが発生すると共に、反りも発生して、枠体１との間に隙間を生じる可能性がある。上框２０は拘束部２０ｃを有しているが、框体３が室内外の一方側から高温に晒されると、両側がそれぞれ縦枠１２の内周面部１２ａに向かって伸びると共に、当該拘束部２０ｃと上框２０の端部の間が、それぞれ室外側に向かって突出するように屈曲する。下框２１も同様に、両側がそれぞれ縦枠１２の内周面部１２ａに向かって伸びると共に、拘束部２１ｃより端部側が、それぞれ室外側に向かって突出するように屈曲する。
【００４９】
吊り元側の縦框２２は、拘束部を有していないため、框体３が室内外の一方側から高温に晒されると、両側がそれぞれ上枠１０の内周面部１０ａと下枠１１の内周面部１１ａに向かって伸びると共に、両端部間が室外側に向かって突出するように屈曲する。戸先側の縦框２２は、両側がそれぞれ上枠１０の内周面部１０ａと下枠１１の内周面部１１ａに向かって伸びる点は吊り元側と同様であるが、長手方向３箇所に拘束部２２ｃを有しているため、拘束部２２ｃ間がそれぞれ室外側に向かって突出するように屈曲すると共に、拘束部２２ｃより端部側もそれぞれ室外側に向かって突出するように屈曲する。
【００５０】
図４には火災発生時におけるサッシの縦断面図を、図５には火災発生時におけるサッシの横断面図を、それぞれ示している。図４に示すように、上框２０は、縦框２２の熱伸びによって、室外側面の上端部が上枠１０の内周面部１０ａに突き当たるまで上方に移動している。また、屈曲によって室外側に変形している。このとき、上枠１０の気密材１４は、本体当接部１４ａが上框２０の当接面部２０ｅから離れるものの、上枠１０の内周面部１０ａ側及び上框２０側、すなわち第１方向と第２方向に向かって伸びる気密部１４ｂの傾斜面１４ｃが当接面部２０ｅに当接し、気密状態とする。これにより、上枠１０と上框２０の間に隙間が発生することを防止することができる。
【００５１】
気密材１４は、ポリプロピレン、ポリエチレン、ポリ塩化ビニル、ポリ酢酸ビニル、シリコンゴム、ＥＰＤＭ等の材質からなる弾性体である。気密材１４のうち少なくとも気密部１４ｂは、気密性維持のため、火災時の熱によって溶融しない材料で形成する必要がある。例えば、難燃材として縮合リン酸系化合物であるポリリン酸アンモニウムが含まれることが望ましい。この際、ポリリン酸アンモニウムは、有機物の脱水触媒として作用し、有機物を炭化させることとなるので、高温時にも安定した炭化層を形成することにつながる。また、縮合リン酸系化合物に加えて、またこれに代えて、金属水酸化物が含まれていてもよい。金属水酸化物としては、水酸化アルミニウム、水酸化マグネシウム、水酸化カルシウム、水酸化バリウム、水酸化ジルコニウムなどが挙げられる。さらには、これらに限らず、高温に晒されることで表面が固化するものであればよい。表面が固化することにより、気密材１４を介して加熱されていない部分に熱が伝わることを防止することができる。これについては、上枠１０の気密材１４に限らず、下枠１１や縦枠１２の気密材１４についても同様である。
【００５２】
下框２１は、縦框２２の熱伸びによって、室外側面の下端部が下枠１１の内周面部１１ａに突き当たるまで下方に移動している。また、屈曲によって室外側に変形している。このとき、下枠１１の気密材１４は、本体当接部１４ａが下框２１の当接面部２１ｅから離れるものの、下枠１１の内周面部１１ａ側及び下框２１側、すなわち第１方向と第２方向に向かって伸びる気密部１４ｂの傾斜面１４ｃが当接面部２１ｅに当接し、気密状態とする。これにより、下枠１１と下框２１の間に隙間が発生することを防止することができる。
【００５３】
図５に示すように、縦框２２は、上框２０や下框２１の熱伸びによって、室外側面の端部が縦枠１２の内周面部１２ａに突き当たるまで縦枠１２側に移動している。また、屈曲によって室外側に変形している。このとき、縦枠１２の気密材１４は、本体当接部１４ａが縦框２２の室内側面から離れるものの、縦枠１２の内周面部１２ａ側及び縦框２２側に向かって伸びる気密部１４ｂの傾斜面１４ｃが縦框２２の室内側面に当接し、気密状態とする。これにより、縦枠１２と縦框２２の間に隙間が発生することを防止することができる。
【００５４】
このように、枠体１に設けられる気密材１４に、通常時において框体３に当接する本体当接部１４ａと、火災発生時に框体３の各框材が移動及び変形した際に框体３に当接する気密部１４ｂとを設け、気密部１４ｂには框材の移動及び変形方向に向かって伸びる傾斜面１４ｃを設けたことにより、火災発生時に框体３の各框材が熱伸び及び反りを生じたとしても、気密部１４ｂが框体３に対して当接するから、枠体１と気密材１４の間に隙間を生じさせないようにすることができ、サッシの防火性能を向上させることができる。
【００５５】
気密部１４ｂの枠体１内周面側に向かう突出幅と框体３側に向かう突出幅は、それぞれ火災発生時に想定される框体３の最大移動及び変形量に基づいて設定される。枠体１内周面側に向かう突出幅は、框材が枠体１の内周面に向かって移動する大きさ、すなわち框材の端部と枠体１の内周面との隙間の大きさ分が必要である。また、框体３側に向かう突出幅は、框材が室外側に向かって変形する大きさ、すなわち框材の想定される最大反り量の大きさ分が必要である。
【００５６】
気密材１４は、気密性確保のため枠体１の四周に渡って設けられる。本実施形態において気密部１４ｂは、本体当接部１４ａと例えば一体的に形成されているから、これも四周に渡って設けられているが、少なくとも框体３を構成する框材の変形が大きいと想定される領域に設けられていればよい。具体的には、上下框２０、２１と縦框２２の拘束部では枠体１と框体３の間に隙間が生じにくいので、２つの拘束部の間の領域や、拘束部と框体の角部間の領域、あるいは框体３の角部付近の変形が大きいと想定される場合には当該角部付近に、気密部１４ｂが設けられるようにしてもよい。
【００５７】
また、気密部１４ｂは通常時においては框体３に接触しないようにされているから、通常時における障子２の開閉時に、気密部１４ｂが円滑な開閉動作を阻害することがないようにすることができる。
【００５８】
一方で、気密部１４ｂが通常時において框体３に接触するように構成することもできる。図６には框体３の当接部を長くした場合のサッシの下枠１１付近拡大縦断面図を、図７には框体３の当接部を長くした場合のサッシの縦枠１２付近拡大縦断面図を、それぞれ示している。図６に示すように、下框２１の当接面部２１ｅを図４に示すものよりも下方まで延出することにより、当接面部２１ｅを拡大しており、通常時であっても気密部１４ｂが当接する。気密部１４ｂは、傾斜面１４ｃのうち中央部が当接面部２１ｅに対し弾性的に当接する。なお、本体当接部１４ａも当接面部２１ｅに対し弾性的に当接する。また、図７に示すように、縦框２２の室内側面を図５に示すものよりも縦枠１２側まで延出することにより、室内側面を拡大しており、通常時であっても気密部１４ｂが当接する。これも、気密部１４ｂのうち傾斜面１４ｃの中央部が縦框２２の室内側面に対し当接する。なお、ここでは下枠１１と一方の縦枠１２について示しているが、上枠１０や他方の縦枠１２についても、同様に構成することができる。
【００５９】
図８には框体３の当接部を長くした場合のサッシの火災発生時の状態における下枠１１付近拡大縦断面図を、図９には框体３の当接部を長くした場合のサッシの火災発生時の状態における縦枠１２付近拡大縦断面図を、それぞれ示している。框体３の拘束部間の距離が小さい場合など、火災発生時に框体３が枠体１の内周面側にそれほど移動しない場合も考えられる。一方、その場合であっても、框材が反ることによる室外側への変形は生じる。
【００６０】
図８に示すように、下框２１が室外側に変形した場合、気密材１４の気密部１４ｂは、下框２１に対する当接状態を維持する。下框２１の変形前は、気密部１４ｂの傾斜面１４ｃのうち中央部分が下框２１に当接していたが、下框２１の変形後は、気密部１４ｂの傾斜面１４ｃのうち先端部付近が下框２１に当接した状態となる。この際、下框２１が上下方向には移動しないため、気密部１４ｂは最初から下框２１に当接しておく必要がある。また、図９に示すように、縦框２２が室外側に変形した場合、気密材１４の気密部１４ｂは、縦框２２に対する当接状態を維持する。縦框２２の変形前は、気密部１４ｂの傾斜面１４ｃのうち中央部分が縦框２２に当接していたが、縦框２２の変形後は、気密部１４ｂの傾斜面１４ｃのうち先端部付近が縦框２２に当接した状態となる。縦框２２についても、縦枠１２側には移動しないので、気密部１４ｂは最初から縦框２２に当接しておく必要がある。
【００６１】
次に、本発明の第２の実施形態について説明する。図１０には、第２の実施形態におけるサッシの正面図を示している。第２の実施形態のサッシは、枠体３０内に本体となる障子３１が納められてなり、障子３１の下辺が下枠４１に対して蝶番３４を介して支持され、障子３１が下辺を中心に室外側に傾倒自在とされた外倒し窓サッシである。枠体３０の上辺にはロック部品３６が設けられ、障子３１の上辺にはロック部品３６を係止自在な係止部品３５が設けられており、このロック部品３６の係止部品３５に対する係止状態を解除することにより、障子３１は室外側に向かって傾倒する。この際の動作を緩やかにするため、障子３１の縦辺には、それぞれダンパー部品３７が設けられている。
【００６２】
枠体３０は上枠４０と下枠４１及び左右の縦枠４２，４２を方形状に枠組みして構成されている。障子３１は、框体３２内にパネル体３３を納めて構成されている。框体３２は上框５０と下框５１及び左右の縦框５２，５２を方形状に框組みして構成されている。
【００６３】
框体３を構成する上框５０は、２箇所の係止部品３５がそれぞれロック部品３６に係止されていることにより、枠体３０に対して拘束されており、それぞれ拘束部５０ｃとなっている。また、框体３２を構成する下框５１は、長手方向３箇所に金属製の蝶番３４が設けられていることにより、枠体３０に対して拘束されており、それぞれ拘束部５１ｃとなっている。
【００６４】
図１１にはサッシの縦断面図を、図１２にはサッシの横断面図を、それぞれ示している。上枠４０は、内周面部４０ａが上框５０の外周面と対向し、室内起立面部４０ｂが上框５０の室内側面と対向すると共に、その先端側に気密材４４を収容する。下枠４１は、内周面部４１ａが下框５１の外周面と対向し、室内起立面部４１ｂが下框５１の室内側面と対向すると共に、その先端側に気密材４４を収容する。縦枠４２は、内周面部４２ａが縦框５２の外周面と対向し、室内起立面部４２ｂが縦框５２の室内側面と対向すると共に、その先端側に気密材４４を収容する。
【００６５】
枠体３０に保持されている気密材４４は、第１の実施形態と同様、障子３１が閉じた状態で框体３２の室内側面に当接する本体当接部４４ａと、本体当接部４４ａから突出し框体３２には接触しない気密部４４ｂとが、例えば、一体的に形成されている。気密部４４ｂは、本体当接部４４ａから枠体３０の内周面部側及び框体３２側、すなわち第１方向と第２方向に向かって伸びる傾斜面４４ｃを有するヒレ状に形成されている。
【００６６】
本実施形態のサッシが火災発生時の高温に晒されると、第１の実施形態と同様、各框材には熱伸び及び反りが生じ、枠体３０の内周面側及び室外側に向かって移動及び変形する。図１３には火災発生時の状態におけるサッシの縦断面図を、図１４には火災発生時の状態におけるサッシの横断面図を、それぞれ示している。
【００６７】
図１３に示すように、上框５０が上枠４０の内周面部４０ａ側及び室外側に変形しても、気密部４４ｂの傾斜面４４ｃが上框５０に対し当接するので、上框５０と上枠４０の間に隙間を生じさせないようにすることができる。また、下框５１についても同様に、気密部４４ｂの傾斜面４４ｃが下框５１に対し当接するので、下框５１と下枠４１の間に隙間を生じさせないようにすることができる。図１４に示すように、縦框５２が縦枠４２の内周面部４２ａ側及び室外側に変形しても、気密部４４ｂの傾斜面４４ｃが縦框５２に対し当接するので、縦框５２と縦枠４２の間に隙間を生じさせないようにすることができる。
【００６８】
また、図１５には框体３２の当接部を長くした場合のサッシの下枠４１付近拡大縦断面図を、図１６には框体３２の当接部を長くした場合のサッシの縦枠４２付近拡大縦断面図を、それぞれ示している。これらの図に示すように、第１の実施形態と同様に、通常時において気密部４４ｂが框体３２に対して当接するように構成してもよい。この場合、気密部４４ｂは、傾斜面４４ｃの中央部分が框体３２に対し当接している。
【００６９】
次に、本発明の第３の実施形態について説明する。図１７には、第３の実施形態におけるサッシの正面図を示している。第３の実施形態のサッシは、枠体６０内に本体となる外障子６１と内障子６２を引き違い状に納めてなる引き違い窓サッシである。枠体６０は、上枠７０と下枠７１及び左右の縦枠７２，７２を方形状に枠組みしてなり、外障子６１と内障子６２は、上框８０と下框８１、縦框８２及び召合わせ框８３を方形状に框組みし、縦框８２と召合わせ框８３の中間位置で両者をつなぐ中桟８４を設けた框体６３内にパネル体６４を納めてなる。召合わせ框８３にはクレセント６５が設けられ、外障子６１と内障子６２を施錠する。
【００７０】
図１８にはサッシの縦断面図を、図１９にはサッシの横断面図を、それぞれ示している。上枠７０は、内周面部７０ａが外障子６１と内障子６２の上框８０の外周面と対向している。内周面部７０ａの室内側部分には室内起立面部７０ｂが形成され、内障子６２の室内側面と対向すると共に、その先端側に気密材７４を収容する。内周面部７０ａの室内外中間位置には中間起立面部７０ｃが形成され、外障子６１の室内側面と対向すると共に、気密材７４を保持する。内周面部７０ａの中間起立面部７０ｃより室外側には、上レール部７０ｄが突出状に形成されていて、外障子６１の上辺を長手方向に案内する。
【００７１】
下枠７１は、内周面部７１ａが外障子６１と内障子６２の下框８１の外周面と対向している。内周面部７１ａの室内側部分には室内起立面部７１ｂが形成され、内障子６２の室内側面と対向すると共に、その先端側に気密材７４を収容する。内周面部７１ａには、それぞれ内障子６２と外障子６１の下辺を案内する内レール部７１ｃと外レール部７１ｅが形成されている。内レール部７１ｃには、室外側に突出する室外突出部７１ｄが形成されており、その先端部は外障子６１の室内側面と対向すると共に、気密材７４を保持する。
【００７２】
図１９中左側の縦枠７２は、内周面部７２ａが外障子６１の縦框８２の外周面と対向している。内周面部７２ａの室内外中間位置には、中間起立面部７２ｃが形成されており、外障子６１の縦框８２室内側面と対向すると共に、その先端側に気密材７４を収容する。図１９中右側の縦枠７２は、内周面部７２ａが内障子６２の縦框８２の外周面と対向している。内周面部７２ａの室内側部には、室内起立面部７２ｂが形成されており、内障子６２の縦框８２室内側面と対向すると共に、気密材７４を保持する。
【００７３】
上框８０は、内周側にパネル体６４の上辺を保持するパネル体収納部８０ａを備え、外周側には外周凹部８０ｂを備えていて、内障子６２の外周凹部８０ｂは上枠７０の室内起立面部７２ｂと中間起立面部７２ｃ及び内周面部７２ａにより形成される凹状の部分に飲み込まれ、外障子６１の外周凹部８０ｂは上枠７０の上レール部７０ｄを飲み込む。
【００７４】
上框８０の室内側面には段部８０ｄが形成され、段部８０ｄより外周縁側は上枠７０の気密材７４側に向かって突出した当接面部８０ｅとなっている。この当接面部８０ｅに対し、上枠７０の気密材７４が当接する。段部８０ｄは、上枠７０の気密材７４の内周側端面と略面一となっており、上框８０の室内面における段差を室内側から見えにくいようにしている。
【００７５】
下框８１は、内周側にパネル体６４の下辺を保持するパネル体収納部８１ａを備え、下端部に設けられる戸車８１ｃが内レール部７１ｃまたは外レール部７１ｅに載置される。また、下框８１の室内側面は下方に垂下された室内垂下部８１ｂを備えている。室内垂下部８１ｂは、内レール部７１ｃまたは外レール部７１ｅと室内外方向において対向する。
【００７６】
下框８１の室内側面にも段部８１ｄが形成され、段部８１ｄより外周縁側は下枠７１の気密材７４側に向かって突出した当接面部８１ｅとなっている。この当接面部８１ｅに対し、下枠７１の気密材７４が当接する。段部８１ｄは、下枠７１の室内側内周縁７１ｆと面一となっており、下框８１の室内面における段差を室内側から見えにくいようにすることができる。このように、段部８１ｄは気密材７４の内周側端面のみならず、枠体６０の室内側内周縁と面一状であってもよい。
【００７７】
縦框８２と召合わせ框８３は、それぞれ内周側にパネル体６４の縦辺を保持するパネル体収納部８２ａ，８３ａを備えている。縦枠７２の気密材７４は、縦框８２の室内側面外周縁部に対し当接する。
【００７８】
本実施形態においても、気密材７４は内障子６２と外障子６１が閉じた状態で框体６３の室内側面に当接する本体当接部７４ａと、本体当接部７４ａから突出し框体６３には接触しない気密部７４ｂとが、例えば、一体的に形成されている。気密部７４ｂは、本体当接部７４ａから枠体６０の内周面部側及び框体６３側、すなわち第１方向と第２方向に向かって伸びる傾斜面７４ｃを有するヒレ状に形成されている。
【００７９】
本実施形態のサッシが火災発生時の高温に晒されると、第１の実施形態や第２の実施形態と同様、各框材には熱伸び及び反りが生じ、枠体６０の内周面側及び室外側に向かって移動及び変形する。図２０には火災発生時の状態におけるサッシの縦断面図を、図２１には火災発生時の状態におけるサッシの横断面図を、それぞれ示している。
【００８０】
図２０に示すように、外障子６１の上框８０は、上枠７０の内周面部７０ａに突き当たるまで上方に向かって移動し、さらに室内側面が上レール部７０ｄに突き当たるまで室外側に向かって変形する。この場合であっても、気密部７４ｂの傾斜面７４ｃが上框８０に対し当接する。また、内障子６２の上框８０は、上枠７０の内周面部７０ａに突き当たるまで上方に向かって移動し、さらに室外側面が中間起立面部７２ｃに突き当たるまで室外側に向かって変形する。この場合であっても、気密部７４ｂの傾斜面７４ｃが上框８０に対し当接する。これらによって、上框８０と上枠７０の間に隙間を生じさせないようにすることができる。
【００８１】
外障子６１の下框８１は、火災発生時の高温に晒されると、樹脂製の戸車８１ｃが溶融する。これにより、外障子６１と内障子６２の各下框８１は、それぞれ框体６３が下枠７１の内周面部７１ａに突き当たるまで下方に向かって移動し、さらに室内側面が内レール部７１ｃまたは外レール部７１ｅに突き当たるまで室外側に向かって変形する。この場合であっても、気密部７４ｂの傾斜面７４ｃが下框８１に対し当接し、下框８１と下枠７１の間に隙間を生じさせないようにすることができる。
【００８２】
図２１に示すように、外障子６１と内障子６２の各縦框８２は、縦枠７２の内周面部７２ａに突き当たるまで側方に向かって移動し、さらに室外側に向かっても変形する。この場合であっても、気密部７４ｂの傾斜面７４ｃが縦框８２に対し当接するので、縦框８２と縦枠７２の間に隙間を生じさせないようにすることができる。
【００８３】
ここで、下框８１において室内垂下部８１ｂと内レール部７１ｃまたは外レール部７１ｅとの隙間の幅が、框材の室外側に向かう最大変形量となるので、気密材７４において傾斜面７４ｃの框体６３側に向かって伸びる突出幅は、室内垂下部８１ｂと内レール部７１ｃまたは外レール部７１ｅとの隙間の幅に相当する幅またはそれより大きいことが望ましい。
【００８４】
本実施形態においては、気密部７４ｂはいずれも通常時において框体６３に接触していないので、外障子６１や内障子６２の開閉において、気密部７４ｂが抵抗とならないようにし、円滑な開閉をなすことができる。ただし、第１の実施形態や第２の実施形態において示したように、通常時にも気密部７４ｂが框体６３に当接するようにしてもよい。
【００８５】
以上のように、引き違い窓サッシにおいても、傾斜面７４ｃを有する気密部７４ｂを備えた気密材７４により、框材の移動及び変形があっても気密部７４ｂが框体６３に当接するから、枠体６０と框体６３の間に隙間を生じさせず、防火性能を高くすることができる。
【００８６】
第１の実施形態から第３の実施形態における気密材１４，４４，７４は、傾斜面１４ｃ，４４ｃ，７４ｃを有していれば、その他の形状であってもよい。例えば、本体当接部１４ａ，４４ａは断面中空状であり、本体当接部７４ａは断面略Ｌ字状に形成されているが、他の形状であってもよい。また、気密部１４ｂ，４４ｂ，７４ｂはいずれもヒレ状とされているが、傾斜面を有していれば、例えば、断面三角形状のホロー材などその他の形状であってもよい。さらには、気密部１４ｂ，４４ｂ，７４ｂは本体当接部１４ａ，４４ａ，７４ａと一体的に形成されているが、別体であってもよいし、また、本体当接部１４ａ，４４ａ，７４ａを有しない気密材であってもよい。
【００８７】
第１の実施形態と第２の実施形態のサッシは、いずれも障子が室外側に向かって開くため、気密材１４，４４は框体の室内側面に当接しているが、障子が室内側に開くものであってもよく、この際、気密材は框体の室外側面に当接するように設けられる。この場合、気密部の傾斜面は、枠体の内周面部側及び框体側に向かう傾斜面状とされる。すなわち、気密部の傾斜面は、本体当接部から外周側及び室内側に向かって伸びるように形成される。障子が室内側に開くように構成した場合、框体を構成する各框材は、火災発生時に室内側に向かって突出するように屈曲するため、框材の屈曲があっても、気密部が框体に対し当接し、枠体と框体の間の隙間発生を防止できる。
【００８８】
以上、本発明の実施形態について説明したが、本発明の適用は本実施形態には限られず、その技術的思想の範囲内において様々に適用されうるものである。
【符号の説明】
【００８９】
１    枠体
２    障子
３    框体
１０    上枠
１１    下枠
１２    縦枠
１４    気密材
１４ａ  本体当接部
１４ｂ  気密部
１４ｃ  傾斜面
２０    上框
２１    下框
２２    縦框
３０    枠体
３１    障子
３２    框体
４０    上枠
４１    下枠
４２    縦枠
４４    気密材
４４ａ  本体当接部
４４ｂ  気密部
４４ｃ  傾斜面
５０    上框
５１    下框
５２    縦框
６０    枠体
６１    外障子
６２    内障子
６３    框体
７０    上枠
７１    下枠
７２    縦枠
７４    気密材
７４ａ  本体当接部
７４ｂ  気密部
７４ｃ  傾斜面
８０    上框
８１    下框
８２    縦框
８３    召合わせ框
【図１】
2014009575.tif 000003
【図２】
2014009575.tif 000004
【図３】
2014009575.tif 000005
【図４】
2014009575.tif 000006
【図５】
2014009575.tif 000007
【図６】
2014009575.tif 000008
【図７】
2014009575.tif 000009
【図８】
2014009575.tif 000010
【図９】
2014009575.tif 000011
【図１０】
2014009575.tif 000012
【図１１】
2014009575.tif 000013
【図１２】
2014009575.tif 000014
【図１３】
2014009575.tif 000015
【図１４】
2014009575.tif 000016
【図１５】
2014009575.tif 000017
【図１６】
2014009575.tif 000018
【図１７】
2014009575.tif 000019
【図１８】
2014009575.tif 000020
【図１９】
2014009575.tif 000021
【図２０】
2014009575.tif 000022
【図２１】
2014009575.tif 000023